(57)【要約】    【課題】使い勝手が良く、正確性に優れた、フィルム貼付治具を、提供すること。    【解決手段】スマートフォン４の表示画面４１に機能性フィルム５を位置決めして貼り付けるのに使用されるフィルム貼付治具１０であって、スマートフォン４を取り囲んだ状態で把持するための基台枠体１と、基台枠体１に重ねられて、機能性フィルム５の貼付領域を内側に画定する、位置決め枠体２と、を備えている、ことを特徴としている。【選択図】図１
2018156038.tif 000002
【特許請求の範囲】
【請求項１】
スマートフォンの表示画面に機能性フィルムを位置決めして貼り付けるのに使用されるフィルム貼付治具であって、
前記スマートフォンを取り囲んだ状態で把持するための基台枠体と、
前記基台枠体に重ねられて、前記機能性フィルムの貼付領域を内側に画定する、位置決め枠体と、
を備えている、
ことを特徴とするフィルム貼付治具。
【請求項２】
前記基台枠体は、枠本体と、前記スマートフォンに四方から圧接して前記スマートフォンを前記枠本体に対して所定位置に把持する把持部材と、を有しており、
前記位置決め枠体は、枠体位置決め機構を介して前記基台枠体の前記枠本体に対して所定位置に取り付けられるようになっており、前記貼付領域を画定する貼付スペースを内側に有しており、
前記枠体位置決め機構は、嵌合部と、前記嵌合部が嵌合する被嵌合部と、からなっており、
前記嵌合部は前記位置決め枠体に形成され且つ前記被嵌合部は前記基台枠体の前記枠本体に形成されており、又は、前記嵌合部は前記基台枠体の前記枠本体に形成され且つ前記被嵌合部は前記位置決め枠体に形成されている、
請求項１記載のフィルム貼付治具。
【請求項３】
前記位置決め枠体は、前記貼付スペース内に前記機能性フィルムを位置決めするためのフィルム位置決め機構を有している、
請求項２記載のフィルム貼付治具。
【請求項４】
前記把持部材が、弾性材で構成されている、
請求項２又は３に記載のフィルム貼付治具。
【請求項５】
前記嵌合部は前記位置決め枠体の対角線上の２つの角部に形成され且つ前記被嵌合部は前記基台枠体の前記枠本体の対角線上の２つの角部に形成されており、
又は、
前記嵌合部は前記基台枠体の前記枠本体の対角線上の２つの角部に形成され且つ前記被嵌合部は前記位置決め枠体の対角線上の２つの角部に形成されている、
請求項２〜４の何れか一つに記載のフィルム貼付治具。
【請求項６】
前記嵌合部は、少なくとも、横辺と縦斜辺と横斜辺と縦辺とを有する凸部であり、
前記被嵌合部は、前記凸部が嵌合する凹部である、
請求項２〜５の何れか一つに記載のフィルム貼付治具。
【請求項７】
前記フィルム位置決め機構が、前記機能性フィルムに形成されている凹部に嵌合する凸部である、
請求項３記載のフィルム貼付治具。
【請求項８】
前記フィルム位置決め機構が、前記機能性フィルムの位置マークに対応する位置マークである、
請求項３記載のフィルム貼付治具。
【発明の詳細な説明】
【技術分野】
【０００１】
本発明は、スマートフォンの表示画面に機能性フィルムを位置決めして貼り付けるのに使用されるフィルム貼付治具に関する。
【背景技術】
【０００２】
スマートフォンは、一般に、表示画面に機能性フィルムが貼り付けられた状態で、使用されている。機能性フィルムとしては、例えば、保護フィルム、遮光フィルム等がある。そして、機能性フィルムを表示画面へ貼り付ける作業は、販売店の担当者が行ったり、使用者が自ら行ったりしている。
【０００３】
しかしながら、手作業で機能性フィルムを表示画面の正しい位置に貼り付けることは、決して容易ではないので、貼付作業を補助する治具が種々提案されてきている。
【先行技術文献】
【特許文献】
【０００４】
【特許文献１】特開２０１７−７１６３号公報
【発明の概要】
【発明が解決しようとする課題】
【０００５】
そして、販売店や使用者の間では、使い勝手が良く、正確性に優れた、フィルム貼付治具が、更に望まれている。
【０００６】
本発明は、使い勝手が良く、正確性に優れた、フィルム貼付治具を、提供することを目的としている。
【課題を解決するための手段】
【０００７】
本発明は、スマートフォンの表示画面に機能性フィルムを位置決めして貼り付けるのに使用されるフィルム貼付治具であって、前記スマートフォンを取り囲んだ状態で把持するための基台枠体と、前記基台枠体に重ねられて、前記機能性フィルムの貼付領域を内側に画定する、位置決め枠体と、を備えている、ことを特徴としている。
【発明の効果】
【０００８】
本発明によれば、スマートフォンを基台枠体で把持し、位置決め枠体を基台枠体に取り付け、位置決め枠体で画定した貼付領域を利用して機能性フィルムをスマートフォンの表示画面に貼り付けることができる。したがって、使い勝手の良いフィルム貼付治具を実現できる。しかも、貼付領域が位置決め枠体によって画定されるので、機能性フィルムを正確な位置に貼り付けることができる。したがって、正確性に優れたフィルム貼付治具を実現できる。
【図面の簡単な説明】
【０００９】
【図１】本発明の第１実施形態のフィルム貼付治具を示す上方斜視図である。
【図２】第１実施形態の治具で貼り付けられる機能性フィルムの平面図である。
【図３】基台枠体の上方斜視図である。
【図４】基台枠体の下方斜視図である。
【図５】基台枠体の平面図である。
【図６】基台枠体がスマートフォンを把持した状態を示す平面図である。
【図７】基台枠体がスマートフォンを把持した状態を示す下方斜視図である。
【図８】位置決め枠体の上方斜視図である。
【図９】位置決め枠体の平面図である。
【図１０】枠体位置決め機構を介して位置決め枠体を基台枠体上に重ねた状態を示す平面図である。
【図１１】第２実施形態の治具の位置決め枠体を示す平面図である。
【図１２】第２実施形態の治具で貼り付けられる機能性フィルムの平面図である。
【図１３】嵌合部及び被嵌合部の第１変形構成を示す平面部分図である。
【図１４】嵌合部及び被嵌合部の第２変形構成を示す平面部分図である。
【図１５】嵌合部及び被嵌合部の第３変形構成を示す平面部分図である。
【図１６】嵌合部及び被嵌合部の第４変形構成を示す平面部分図である。
【発明を実施するための形態】
【００１０】
［第１実施形態］
（全体構成）
図１は、本発明の一実施形態のフィルム貼付治具を示す上方斜視図である。このフィルム貼付治具１０は、基台枠体１と位置決め枠体２とからなっている。図１では、スマートフォン４と、貼り付けられる機能性フィルム５も、示されている。基台枠体１と位置決め枠体２とは、いずれも薄板状を有しており、重ねられた状態で使用される。図２は、機能性フィルム５の平面図である。
【００１１】
（基台枠体）
図３は、基台枠体１の上方斜視図である。図４は、基台枠体１の下方斜視図である。図５は、基台枠体１の平面図である。基台枠体１は、枠本体１１と把持部材１２とからなっている。
【００１２】
枠本体１１は、平面視矩形を有しており、４つの辺部すなわち長辺部１１１、１１３及び短辺部１１２、１１４を、有しており、それらの辺部によって内側に把持スペース１３を画定している。把持スペース１３も平面視矩形を有している。
【００１３】
把持部材１２は、４個の部材１２１〜１２４からなっている。各部材１２１〜１２４は、弾性材からなっており、直方体の形態を有している。長寸法の部材１２１、１２３は、枠本体１１の長辺部１１１、１１３に沿って長辺部１１１、１１３の裏面に、それぞれ、接合されている。短寸法の部材１２２、１２４は、枠本体１１の短辺部１１２、１１４に沿って短辺部１１２、１１４の裏面に、それぞれ、接合されている。各部材１２１〜１２４は、図５に示されるように、平面視において、把持スペース１３に少し張り出した状態で、設けられており、具体的には、長寸法の部材１２１、１２３は、同じ寸法Ｄ１だけ張り出しており、短寸法の部材１２２、１２４は、同じ寸法Ｄ２だけ張り出している。
【００１４】
図６及び図７は、基台枠体１がスマートフォン４を把持した状態を示す平面図及び下方斜視図である。基台枠体１は、スマートフォン４を取り囲んだ状態で把持している。スマートフォン４は、把持部材１２が四方から圧接することによって、把持されている。長寸法の部材１２１、１２３間の距離Ｌ１と短寸法の部材１２２、１２４間の距離Ｌ２（図５）とは、それぞれ、スマートフォン４の公称の短寸法Ｓ１と長寸法Ｓ２（図７）とに比して、少し小さく設定されている。それ故、把持部材１２は、スマートフォン４に対して四方から圧接でき、また、スマートフォン４の短寸法Ｓ１及び長寸法Ｓ２の公差を吸収してスマートフォン４に圧接できる。しかも、長寸法の部材１２１、１２３は同じ寸法だけ張り出しており、短寸法の部材１２２、１２４は同じ寸法だけ張り出しているので、スマートフォン４は、長寸法及び短寸法に公差があっても、中心位置Ｐが枠本体１１に対して常に同じ位置となるように、基台枠体１に把持される。したがって、スマートフォン４は、基台枠体１の枠本体１１に対して所定位置に把持される。
【００１５】
（位置決め枠体）
図８は、位置決め枠体２の上方斜視図である。図９は、位置決め枠体２の平面図である。位置決め枠体２は、平面視矩形の枠本体２１からなっている。枠本体２１は、４つの辺部すなわち長辺部２１１、２１３及び短辺部２１２、２１４を、有しており、それらの辺部によって内側に貼付スペース２３を画定している。貼付スペース２３も平面視矩形を有している。
【００１６】
（枠体位置決め機構）
位置決め枠体２は、枠体位置決め機構を介して、基台枠体１の枠本体１１に対して所定位置に重ねられるようになっている。枠体位置決め機構は、嵌合部３１と、嵌合部３１が嵌合する被嵌合部３２と、からなっている。図８及び図９に示されるように、嵌合部３１は、位置決め枠体２に形成されており、具体的には、位置決め枠体２の枠本体２１の対角線上の２つの角部に形成されている。また、図３及び図５に示されるように、被嵌合部３２は、基台枠体１の枠本体１１に形成されており、具体的には、枠本体１１の対角線上の２つの角部に形成されている。
【００１７】
嵌合部３１は、図９に示されるように、横辺３１１と縦斜辺３１２と横斜辺３１３と縦辺３１４とを有する凸部３１０である。被嵌合部３２は、凸部３１０が嵌合する凹部３２０である。なお、被嵌合部３２は、枠本体１１上に重ねられた板体１１５に形成されている。
【００１８】
図１０は、枠体位置決め機構を介して位置決め枠体２を基台枠体１上に重ねた状態を示す平面図である。図１０では、２個の嵌合部３１が２個の被嵌合部３２にそれぞれ嵌合している。これにより、位置決め枠体２は、基台枠体１の枠本体１１に対して所定位置に重ねられている。一方、上述したように、スマートフォン４は、基台枠体１の枠本体１１に対して所定位置に把持される。よって、位置決め枠体２は、基台枠体１に把持されたスマートフォン４に対して所定位置に取り付けられる。その結果、位置決め枠体２の貼付スペース２３は、スマートフォン４の表示画面４１の正しい位置に、機能性フィルム５の貼付領域を画定する。すなわち、貼付スペース２３が貼付領域となる。
【００１９】
（フィルム位置決め機構）
位置決め枠体２は、機能性フィルム５を貼付スペース２３内に位置決めするためのフィルム位置決め機構を、有している。フィルム位置決め機構は、機能性フィルム５に形成されている凹部５１、５２（図１）に嵌合する凸部２１５、２１６である。凸部２１５、２１６は、位置決め枠体２の枠本体２１の短辺部２１２、２１４において内向きに突出して形成されている。
【００２０】
（その他）
基台枠体１の枠本体１１の１つの角部及び位置決め枠体２の枠本体２１の１つの角部には、紐を通して吊り下げるための貫通孔１１９、２１９が形成されている。両貫通孔１１９、２１９は、基台枠体１に位置決め枠体２を重ねた際に重なるように形成されている。
【００２１】
（使用方法）
上記構成のフィルム貼付治具１０は、次のように使用する。
（１）図６及び図７に示されるように、基台枠体１によって、スマートフォン４を取り囲んだ状態で把持する。
（２）次に、図１０に示されるように、基台枠体１に対して位置決め枠体２を取り付ける。
（３）そして、図１に示されるように、機能性フィルム５を、凹部５１を凸部２１５に嵌め合わせながら又は凹部５２を凸部２１６に嵌め合わせながら、貼付スペース２３内に嵌め込んでいき、それと同時にスマートフォン４の表示画面４１に貼り付けていく。
（４）その後、スマートフォン４を基台枠体１から裏側方向へ取り外す。
【００２２】
（作用効果）
上記構成のフィルム貼付治具１０は、次のような作用効果を奏する。
（ａ）スマートフォン４を基台枠体１で把持し、位置決め枠体２を基台枠体１に取り付け、貼付領域を画定した貼付スペース２３を利用して機能性フィルム５をスマートフォン４の表示画面４１に貼り付けることができる。したがって、使い勝手の良いフィルム貼付治具を実現できる。しかも、貼付領域が位置決め枠体２の貼付スペース２３によって画定されるので、機能性フィルム５を正確な位置に貼り付けることができる。したがって、正確性に優れたフィルム貼付治具を実現できる。
【００２３】
（ｂ）基台枠体１と位置決め枠体２とを用いるだけであるので、簡素な構成のフィルム貼付治具を実現できる。
【００２４】
（ｃ）把持部材１２が、基台枠体１の枠本体１１に対して所定の配置で設けられているので、スマートフォン４を枠本体１１に対して所定位置で把持できる。そして、位置決め枠体２が、枠体位置決め機構を介して、枠本体１１に対して所定位置で取り付けられるので、貼付スペース２３をスマートフォン４の表示画面４１に対して所定位置に設定できる。したがって、貼付スペース２３によって貼付領域を画定でき、機能性フィルム５を貼付領域に貼り付けることができる。したがって、正確性に優れたフィルム貼付治具を実現できる。
【００２５】
（ｄ）把持部材１２は、弾性材からなっているので、スマートフォン４の長寸法及び短寸法に公差があっても、その公差を吸収してスマートフォン４を把持できる。したがって、スマートフォン４は、中心位置Ｐが枠本体１１に対して常に同じ位置となるように、基台枠体１に把持される。
【００２６】
（ｅ）枠体位置決め機構の嵌合部３１及び被嵌合部３２が、それぞれ、枠本体１１及び枠本体２１の対角線上の２つの角部に、位置しているので、基台枠体１に対して位置決め枠体２を安定した状態で取り付けることができる。したがって、この点からも、使い勝手の良い且つ正確性に優れたフィルム貼付治具を実現できる。
【００２７】
（ｆ）嵌合部３１が横辺３１１と縦斜辺３１２と横斜辺３１３と縦辺３１４とを有する凸部３１０であるので、被嵌合部３２内において嵌合部３１が横方向、斜め方向、及び縦方向にガタツクのを、有効に防止できる。したがって、この点からも、使い勝手の良い且つ正確性に優れたフィルム貼付治具を実現できる。
【００２８】
（ｇ）位置決め枠体２がフィルム位置決め機構である凸部２１５、２１６を有しているので、機能性フィルム５を貼付スペース２３内に容易に且つ正確に嵌め込むことができる。したがって、この点からも、使い勝手の良い且つ正確性に優れたフィルム貼付治具を実現できる。
【００２９】
［第２実施形態］
本実施形態のフィルム貼付治具１０は、図１１に示された位置決め枠体２を用いており、その他は第１実施形態と同じである。この位置決め枠体２は、フィルム位置決め機構として、凸部２１５、２１６ではなく、位置マーク２１７、２１８を有している。図１２は、本実施形態のフィルム貼付治具１０によって貼り付けられる機能性フィルム５を示している。位置マーク２１７、２１８は、機能性フィルム５の横方向中央位置にある孔５３、５４に対応している。
【００３０】
本実施形態によっても、第１実施形態と同様の作用効果を奏する。
【００３１】
［変形構成］
本発明のフィルム貼付治具は、次のような変形構成を採用してもよい。
（１）枠体位置決め機構において、嵌合部３１である凸部が基台枠体１に形成され、被嵌合部３２である凹部が位置決め枠体２に形成されている。
【００３２】
（２）枠体位置決め機構において、嵌合部３１が、枠本体１１又は枠本体２１の対角線上の２つの角部に限らず、１つの角部又は３つの角部に、形成されている。被嵌合部３２も同様である。
【００３３】
（３）嵌合部３１が、図９の形態の凸部に限られず、任意の２辺又は３辺又は４辺以上を有する凸部である。例えば、嵌合部３１は、図１３に示されるように単純な矩形凸部３１０Ａであり、又は、図１４に示されるようにＬ形凸部３１０Ｂであり、又は、任意の他の形態の凸部である。なお、この場合、被嵌合部３２は、凸部３１０Ａ、３１０Ｂ等にそれぞれ嵌合する形態を有する凹部３２０Ａ、３２０Ｂ等である。
【００３４】
（４）嵌合部３１が、図９に示されるように斜めに突出した凸部に限られず、例えば、図１５に示されるように縦方向に突出した凸部３１０Ｃであり、又は、図１６に示されるように横方向に突出した凸部３１０Ｄである。この場合、被嵌合部３２は、凸部３１０Ｃ、３１０Ｄにそれぞれ嵌合する形態を有する凹部３２０Ｃ、３２０Ｄである。
【００３５】
（５）把持部材１２の各部材１２１〜１２４は、直方体に限られず、例えば、円柱体である。
【００３６】
（６）位置決め枠体２が、フィルム位置決め機構を採用していない。
【産業上の利用可能性】
【００３７】
本発明のフィルム貼付治具は、使い勝手が良く、しかも正確性に優れているので、産業上の利用価値が大である。
【符号の説明】
【００３８】
１０  フィルム貼付治具  １  基台枠体  １１  枠本体  １２  把持部材
１３  貼付スペース  ２  位置決め枠体  ２１５、２１６  凸部
２１７、２１８  位置マーク  ３１  嵌合部
３１０、３１０Ａ、３１０Ｂ、３１０Ｃ、３１０Ｄ  凸部  ３１１  横辺
３１２  縦斜辺  ３１３  横斜辺  ３１４  縦辺  ３２  被嵌合部
３２０、３２０Ａ、３２０Ｂ、３２０Ｃ、３２０Ｄ  凹部  ４  スマートフォン
４１  表示画面  ５  機能性フィルム  ５１、５２  凹部
５３、５４  孔（位置マーク）
【図１】
2018156038.tif 000003
【図２】
2018156038.tif 000004
【図３】
2018156038.tif 000005
【図４】
2018156038.tif 000006
【図５】
2018156038.tif 000007
【図６】
2018156038.tif 000008
【図７】
2018156038.tif 000009
【図８】
2018156038.tif 000010
【図９】
2018156038.tif 000011
【図１０】
2018156038.tif 000012
【図１１】
2018156038.tif 000013
【図１２】
2018156038.tif 000014
【図１３】
2018156038.tif 000015
【図１４】
2018156038.tif 000016
【図１５】
2018156038.tif 000017
【図１６】
2018156038.tif 000018